(57)【要約】【課題】簡単な構成によって、均一な光の出射パターンを実現し得る光照射器を提供する。【解決手段】光照射器は、光源１０と、第１の開口端１２０ｃ、第２の開口端１２０ｄ、および、第１の開口端１２０ｃと第２の開口端１２０ｄとの間に位置し、中心軸を有する筒形状の内側面１２０ｅを含む導光部１２０と、導光部１２０の第２の開口端１２０ｄに位置し、光源１０と導光部１２０とを接続する接続部１４０とを備え、導光部１２０の内側面１２０ｂは、中心軸と垂直な断面においてＮ角形（Ｎは５以上の整数）の形状を有する。【選択図】図１
2016067492.tif 000002
【特許請求の範囲】
【請求項１】
光源と、
第１の開口端、第２の開口端、および、前記第１の開口端と前記第２の開口端との間に位置し、中心軸を有する筒形状の内側面を含む導光部と、
前記導光部の前記第２の開口端に位置し、前記光源と前記導光部とを接続する接続部と
を備え、
前記導光部の前記内側面は、前記中心軸と垂直な断面においてＮ角形（Ｎは５以上の整数）の形状を有する、光照射器。
【請求項２】
前記Ｎ角形は正多角形である、請求項１に記載の光照射器。
【請求項３】
前記Ｎは５以上７以下である請求項１または２に記載の光照射器。
【請求項４】
前記内側面は、拡散反射性を有する請求項１から３のいずれかに記載の光照射器。
【請求項５】
前記内側面は、鏡面反射性を有する請求項１から３のいずれかに記載の光照射器。
【請求項６】
前記光源は、レーザ光を出射するレーザ光生成器と、前記レーザ光生成器に一端が接続された光ファイバとを含み、
前記接続部は、前記筒形状の前記中心軸と前記光ファイバの中心軸とが一致し、かつ、互いに平行となるように前記光ファイバの他端を前記第２の開口端に対して支持する請求項１から５のいずれかに記載の光照射器。
【請求項７】
前記光源は、少なくとも１つの発光ダイオードが配列され、光軸を有する発光面を含み、
前記接続部は、前記筒形状の前記中心軸と前記発光面の光軸とが一致し、かつ、互いに平行となるように前記発光面を前記第２の開口端に対して支持する請求項１から５のいずれかに記載の光照射器。
【請求項８】
前記接続部に接続された前記光源から出射光が入射するように配置され、前記出射光の集光状態を変化させるレンズを更に備える請求項１から５のいずれかに記載の光照射器。
【請求項９】
請求項１から８のいずれかに記載の光照射器を備えた、子宮頚部用光線力学的治療装置。
【発明の詳細な説明】
【技術分野】
【０００１】
本願は光照射器および光照射器を備えた子宮頚部用光線力学的治療装置に関する。
【背景技術】
【０００２】
医療分野において、治療または検査のため、患者または被検者の所望の部位に光を照射するする光照射器が利用されている。近年、光線力学的治療法（ｐｈｏｔｏｄｙｎａｍｉｃ  ｔｈｅｒａｐｙ：以下、「ＰＤＴ」と略する。）が注目されている。ＰＤＴは、光感受性物質への光照射による光化学反応を利用した局所的治療法である。例えば、癌細胞に多く蓄積される光感受性物質を使用し、患部へのレーザ光照射により癌細胞を選択的に破壊する。
【０００３】
特許文献１は、このようなＰＤＴに用いる光ファイバーレーザデバイスを開示している。特許文献１によれば、光ファイバおよび半球レンズの直径が所定の関係を満たし、光ファイバの端部と半球レンズとの間隔Ｌが所定の範囲内になるように設定することにより、レーザ光の出射パターンを均一できると開示している。
【先行技術文献】
【特許文献】
【０００４】
【特許文献１】特開平８−４３６９３号公報
【発明の概要】
【発明が解決しようとする課題】
【０００５】
特許文献１によれば、光照射の対象の表面に凹凸形状を含む場合、特には子宮頸部のように凸形状もあり若干の個人差があるような形状である場合には、均一な照射パターンを形成することは困難である。本願に開示された限定的ではないある実施形態は、このような形状である光照射の対象であっても、簡単な構成によって、均一な光の出射パターンを実現し得る光照射器を提供する。
【課題を解決するための手段】
【０００６】
本開示の一態様に係る光照射器は、光源と、第１の開口端、第２の開口端、および、前記第１の開口端と前記第２の開口端との間に位置し、中心軸を有する筒形状の内側面を含む導光部と、前記導光部の前記第２の開口端に位置し、前記光源と前記導光部とを接続する接続部とを備え、前記導光部の前記内側面は、前記中心軸と垂直な断面においてＮ角形（Ｎは５以上の整数）の形状を有する。
【発明の効果】
【０００７】
本開示によれば、均一な強度分布で光を出射することが可能な光照射器を提供することができる。
【図面の簡単な説明】
【０００８】
【図１】第１の実施形態に係る光照射器の外観を示す斜視図である。
【図２】第１の実施形態に係る光照射器のプローブを示す斜視図である。
【図３】図２に示すプローブの側面図である。
【図４】図２に示すプローブの長手方向に平行な断面図である。
【図５】図２に示すプローブの長手方向に垂直な断面図である。
【図６】第２の実施形態に係る光照射器のプローブを示す断面図である。
【図７】第３の実施形態に係る光照射器のプローブを示す断面図である。
【図８】第４の実施形態に係る光照射器のプローブを示す側面図である。
【図９】（ａ）から（ｄ）は、実験例のプローブの長手方向に垂直な断面図である。
【図１０】（ａ）は、ローブの長手方向に垂直な断面が四角形である場合のプローブから出射する光の強度分布を示す図であり、（ｂ）は、中心からの距離と光強度との関係を示す図である。
【図１１】（ａ）は、ローブの長手方向に垂直な断面が五角形である場合のプローブから出射する光の強度分布を示す図であり、（ｂ）は、中心からの距離と光強度との関係を示す図である。
【図１２】（ａ）は、ローブの長手方向に垂直な断面が六角形である場合のプローブから出射する光の強度分布を示す図であり、（ｂ）は、中心からの距離と光強度との関係を示す図である。
【図１３】（ａ）は、ローブの長手方向に垂直な断面が七角形である場合のプローブから出射する光の強度分布を示す図であり、（ｂ）は、中心からの距離と光強度との関係を示す図である。
【図１４】（ａ）は、ローブの長手方向に垂直な断面が八角形である場合のプローブから出射する光の強度分布を示す図であり、（ｂ）は、中心からの距離と光強度との関係を示す図である。
【発明を実施するための形態】
【０００９】
本開示の一態様の概要は以下の通りである。
【００１０】
本開示の一態様に係る光照射器は、光源と、第１の開口端、第２の開口端、および、前記第１の開口端と前記第２の開口端との間に位置し、中心軸を有する筒形状の内側面を含む導光部と、前記導光部の前記第２の開口端に位置し、前記光源と前記導光部とを接続する接続部とを備え、前記導光部の前記内側面は、前記中心軸と垂直な断面においてＮ角形（Ｎは５以上の整数）の形状を有する。
【００１１】
前記Ｎ角形は正多角形であってもよい。
【００１２】
前記Ｎは５以上７以下であってもよい。
【００１３】
前記内側面は、拡散反射性を有していてもよい。
【００１４】
前記内側面は、鏡面反射性を有していてもよい。
【００１５】
前記光源は、レーザ光を出射するレーザ光生成器と、前記レーザ光生成器に一端が接続された光ファイバとを含み、前記接続部は、前記筒形状の前記中心軸と前記光ファイバの中心軸とが一致し、かつ、互いに平行となるように前記光ファイバの他端を前記第２の開口端に対して支持していてもよい。
【００１６】
前記光源は、少なくとも１つの発光ダイオードが配列され、光軸を有する発光面を含み、前記接続部は、前記筒形状の前記中心軸と前記発光面の光軸とが一致し、かつ、互いに平行となるように前記発光面を前記第２の開口端に対して支持していてもよい。
【００１７】
前記光照射器は、前記接続部に接続された前記光源から出射光が入射するように配置され、前記出射光の集光状態を変化させるレンズを更に備えていてもよい。
【００１８】
本開示の一態様に係る子宮頚部用光線力学的治療装置は、上記いずれかに記載の光照射器を備える。
【００１９】
以下に、図面を参照しながら本発明の光照射器の実施形態を説明する。
【００２０】
（第1の実施形態）
図１は、本開示の光照射器の一例を示す。図１に示す光照射器５０は、光源１０と、プローブ１００とを備える。本実施形態では、光照射器５０は、例えば、ＰＤＴに使用される。本実施形態では、光照射器５０は、子宮頸がん治療に用いられる子宮頚部用光線力学的治療装置である。
【００２１】
光源１０は、レーザ光を出射するレーザ光生成器２０と、光ファイバ２とを含む。レーザ光生成器２０は、本実施形態では、ＰＤＴによる治療に適した波長のレーザ光を生成する。例えば、レーザ光生成器２０は、６６４ｎｍ±２ｎｍの波長を有するレーザ光を生成する。生成したレーザ光は光ファイバ２によって、プローブ１００へ導かれる。光ファイバ２は、レーザ光の導光に適した種々の光ファイバによって構成される。例えば、光ファイバ２は、シングルモードまたはマルチモード光ファイバであってもよい。また、グレーデッドインデックス型ポリマー光ファイバ（ＧＩ・ＰＯＦ）、バンドルファイバ等であってもよい。光ファイバ２のコアの直径に特に制限はなく、例えば、４００μｍ程度であってもよい。また、ガンマ線による滅菌処理が可能なタイプであってもよい。
【００２２】
光ファイバ２の一端はレーザ光生成器２０に接続され、他端はプローブ１００に接続される。光ファイバ２から導かれたレーザ光はプローブ１００の一端１２２から出射し、患者の患部または被検者の対象部位に照射される。以下、プローブ１００の構造をより詳細に説明する。
【００２３】
図２はプローブ１００の斜視図であり、図３はプローブ１００の側面図である。また図４はプローブの長手方向に平行な断面図であり、図５はプローブの長手方向に垂直な断面図である。プローブ１００は導光部１２０と接続部１４０とを含む。導光部１２０は、第１の開口端１２０ｃおよび第２の開口端１２０ｄと、これらの間に位置し、中心軸１２０ｚを備えた筒形状の外側面１２０ａおよび内側面１２０ｂを有する。図２および図５に示すように、本実施形態では、外側面１２０ａは円筒形状を有している。つまり、外側面１２０ａの、中心軸１２０ｚに垂直な断面は円である。外側面１２０ａの中心軸１２０ｚに垂直な断面は円以外の楕円等であってもよいし、多角形であってもよい。
【００２４】
一方、内側面１２０ｂの中心軸１２０ｚに垂直な断面は、Ｎ角形の形状を有する。ここでＮは５以上の整数である。Ｎは、好ましくは、５以上７以下の整数である。また、Ｎ角形は、正多角形であることが好ましい。以下において説明するように、内側面１２０ｂが中心軸１２０ｚに垂直な断面において５以上のＮ角形の形状を有することにより、プローブ１００の第１の開口端１２０ｃから出射するレーザ光の分布がより均一になる。また、レーザの照射面積が大きくなる。また、Ｎが７よりも大きい場合、レーザ光が照射される部分における中心近傍と周辺部とで光量の差が大きくなる。
【００２５】
内側面１２０ｂの位置が外側面１２０ａに対して一定ある限り、内側面１２０ｂと外側面１２０ａとの間は空洞であってもよいし、充填物で満たされていてもよい。また、内側面１２０ｂによって規定される空間１２０ｉも空洞であってもよい。あるいは、レーザ光が伝搬可能であり、レーザ光をあまり吸収しない材料によって空間１２０ｉが充填されていてもよい。
【００２６】
内側面１２０ｂは光ファイバ２の端面２ａから出射するレーザ光を反射することができるよう、反射性を有している。本実施形態では、内側面１２０ｂは鏡面反射性を有する。例えば、内側面１２０ｂは、アルミニウム板、ステンレス板または反射フィルムの表面によって構成されている。
【００２７】
接続部１４０は、導光部１２０の第２の開口端１２０ｄに位置し、光ファイバ２と導光部１２０とを接続する。図３に示すように接続部１４０はファイバ保持部１４０ｅを含む。
【００２８】
ファイバ保持部１４０ｅは、光ファイバ２が挿入される貫通孔を有する。貫通光は光ファイバ２の外径と同じか、やや小さい内径を有する。光ファイバ２は、その一端が光ファイバ挿入口１４６に挿入されることにより、接続部１４０を介して光ファイバ２が導光部１２０に対して位置決めされ、支持される。光ファイバ２から出射されるレーザ光ができるだけ均一に導光部１２０内に導入されるように、内側面１２０ｂの中心軸１２０ｚと光ファイバ２の中心軸２ｚが一致し、かつ、互いに平行となるように、光ファイバ２はファイバ保持部１４０ｅに支持されることが好ましい。ただし、導光部１２０内へのレーザ光の均一な導入は、光ファイバ２の中心軸２ｚの方向がより重要である。このため、内側面１２０ｂの中心軸１２０ｚと光ファイバ２の中心軸２ｚが互いに平行であれば、内側面１２０ｂの中心軸１２０ｚと光ファイバ２の中心軸２ｚとが多少ずれていてもよい。
【００２９】
ファイバ保持部１４０ｅは、ＳＣコネクタ、ＦＣコネクタＳＭＡコネクタ等の規格に従った形状および結合構造を有していてもよい。この場合、光ファイバ２の端部はこれらの結合形式に適合した形状を有している。
【００３０】
光ファイバ２のコアの直径が５０μｍ以上２０００μｍ以下程度である場合、内側面１２０ｂの中心軸１２０ｚに垂直な断面における多角形の外接円の直径Ｄは、例えば、１０ｍｍ以上５０ｍｍ以下程度である。また、第１の開口端１２０ｃと第２の開口端１２０ｄとの間の距離Ｌは、例えば、２０ｍｍ以上３００ｍｍ以下程度である。
【００３１】
図４において矢印で示すように、光照射器５０において、光ファイバ２の端面２ａから、レーザ光が導光部１２０の内部に導入される。レーザ光は、端面２ａから広がって出射する。このため、レーザ光は内側面１２０ｂの表面に斜めに入射し、内側面１２０ｂの表面で反射する。反射したレーザ光は、再び内側面１２０ｂの表面に斜めに入射し、反射を繰り返しながら第１の開口端１２ｃから導光部１２０の外部へ出射する。
【００３２】
図５に示すように、中心軸１２０ｚに垂直な断面では、内側面１２０ｂは四角形よりも辺の数が多い多角形をなしているため、内側面１２０ｂを構成する複数の面の少なくとも１つは他の面に対して非平行かつ非垂直である。このような面が存在すると、内側面１２０ｂでレーザ光が反射を繰り返すたびに、レーザ光の進行方向が変化する。
【００３３】
このため、レーザ光が導光部１２０の内側面１２０ｂにおいて、反射を繰り返すことによって、導光部１２０の内部で第１の開口端１２０ｃに近づくに従い、レーザ光の進行方向がランダムになる。そのため、光照射の対象の表面に凹凸形状を含む場合でも、凹凸面に対してランダムな方向からレーザ光が照射されることにより照度ムラが少ない均一分布を有する。
【００３４】
このように本実施形態の光照射器５０は、内側面１２０ｂの中心軸１２０ｚに垂直な断面がＮ角形の形状を有することにより、子宮頸部のように照射表面が凸形状を有する場合においても、均一な照度分布を有するレーザ光を出射することができる。また、上述したように、レーザ光の均一な照度分布は、内側面１２０ｂの中心軸１２０ｚに垂直な断面の形状および内側面１２０ｂにおける反射によるため、簡単な構造によって、均一な照度分布が実現する。また、例えば、光ファイバ２の端面２ａの位置が内側面１２０ｂの中心軸１２０ｚ方向に多少ずれていたり、光ファイバ２の中心軸２ｚが中心軸１２０ｚから多少ずれていたりしても、内側面１２０ｂにおける反射による上述した効果は、ほぼ同様に得ることができる。このため、例えば、光ファイバ２がプローブ１００に着脱可能な構成であっても、再現性良く上述した効果を得ることができる。
【００３５】
（第２の実施形態）
図６は、本実施形態の光照射器のプローブ１０１の断面構造の一例を示す。本実施形態の光照射器は、接続部１４０に接続された光ファイバ２からレーザ光が入射するように配置され、レーザ光の集光状態を変化させるレンズ６０を更に備える点で第１の実施形態と異なる。レンズ６０は、例えば、凹レンズであってもよく、フレネルレンズ、ＧＲＩＮレンズ、凸レンズ等であってもよい。レンズ６０として凹レンズを用いる場合、光ファイバ２から出射したレーザの出射角度が大きくなるこのため、光ファイバ２の端面２ａからより短い距離で、内側面１２０ｂにレーザ光を反射させることが可能となる。つまり、内側面１２０ｂのより端面２ａに近い側にレーザ光を入射させることができる。このため、レーザ光が内側面１２０ｂで反射する回数をより多くすることが可能となり、子宮頸部のように照射表面が凸形状を有する場合においても、第１の開口端１２０ｃから出射する光の分布をより均一にすることが可能となる。光ファイバ２から出射されたレーザ光は通常、中心付近の光強度が強いが、レンズ６０としてＧＲＩＮレンズや凸レンズを用いる場合、光ファイバ２から出射したレーザ光がレンズ６０を通ることで、光強度分布が均一になる。このため、内側面１２０ｂで反射する回数が少ない中心付近の光量よりも内側面１２０ｂで反射する回数が多い周辺の光量が増えることで、第１の開口端１２０ｃから出射する光の分布をより均一にすることが可能となる。
【００３６】
（第３の実施形態）
図７は、本実施形態の光照射器のプローブ１０２の断面構造の一例を示す。本実施形態の光照射器は、内側面１２０ｂ’が拡散反射性を備えている点で第１の実施形態と異なる。内側面１２０ｂ’が拡散反射性を備えることによって、内側面１２０ｂ’において反射しれレーザ光の出射角はランダムになる。このため、レーザ光が内側面１２０ｂ’において反射するたびに、よりレーザ光の進行方向がランダムになる。その結果、本実施形態によれば、子宮頸部のように照射表面が凸形状を有する場合においても、第１の開口端１２０ｃから出射する光の分布をより均一にすることが可能となる。拡散反射性の表面を有する内側面１２０ｂ’は、例えば、拡散反射フィルム、または、プラスチック、ポリカーボネート、アクリル樹脂等によって構成することができる。
【００３７】
（第４の実施形態）
図８は、本実施形態の光照射器のプローブ１０１の断面構造の一例を示す。本実施形態の光照射器は、発光ダイオード（ＬＥＤ）を含む光源１０’を備えている点で第１の実施形態と異なる。光源１０’は、発光ダイオードを含む発光部２１と、発光部のＬＥＤを駆動する駆動電流を生成する電源２２とを含む。
【００３８】
発光部２１は、少なくとも１つの発光ダイオードが配列され、光軸２１ｚを、光軸を有する発光面を含む。本実施形態では、発光部２１は、接続部１４０は、内側面１２０ｂの中心軸１２０ｚと発光面の光軸とが一致し、かつ、互いに平行となるように発光面を第２の開口端１２０ｄに対して支持する。
【００３９】
光源１０’がインコヒーレントな光を出射する場合でも、第１の実施形態と同様、発光部２１から出射した光が内側面１２０ｂで反射することによって進行方向がランダムになる。よって、第１の開口端１２０ｃから出射する光の分布を子宮頸部のように照射表面が凸形状を有する場合においても、均一にすることが可能となる。
【００４０】
以上、第１から第３の実施形態を例に挙げて本開示の光照射器を説明したが、本開示の光照射器は、第１から第３の実施形態に限られず、種々の改変が可能である。
【００４１】
例えば、第１から第３の実施形態では、接続部１４０は、内側面１２０ｂの中心軸１２０ｚと光ファイバ２の中心軸２ｚとが互いに平行となるように光ファイバ２を第２の開口端に対して支持していた。しかし、光ファイバ２から出射する光を、ミラーを介して導光部１２０へ導入してもよい。この場合、光ファイバ２をプローブ１００の長手方向に対して斜めに接続することが可能となる。
【００４２】
また、第１から第４の実施形態において、導光部１２０の第１の開口端１２０ｃは、患者または被検者の患部または検査部位等と接触し得る。このため、導光部１２０の第１の開口端１２０ｃ近傍を導光部１２０の本体よりもやわらかい素材、例えば、シリコーンゴム、生体適合性のあるゴム等で覆ってもよい、また、導光部１２０を覆う外筒を設け、外筒の端部を上述したゴムで覆ってもよい。また、外筒の端部の角を丸くし、導光部１２０から突出させてもよい。
【００４３】
また、第１から第４の実施形態において、導光部１２０の内側面１２０ｂは、中心軸１２０ｚのいずれの位置における断面でも等しい大きさを有する柱状形状を有していた。しかし、内側面１２０ｂは、円錐台形状あるいは角錐台形状を有していてもよい。この場合、第１の開口端１２０ｃの面積が第２の開口端１２０ｄの面積よりも大きくてもよいし、逆であってもよい。
【００４４】
また、導光部１２０の第１の開口端１２０ｃに開口を塞ぐ透明板を設けてもよい。透明板は平坦であってもよいし、曲率を有する表面を備えていてもよい。
【００４５】
さらに、第１から第４の実施形態において、導光部１２０の内側面１２０ｂの中心軸１２０ｚは直線であったが中心軸１２０ｚは折れ曲がっていてもよいし曲線であってもよい。プローブ１００が挿入される部位の形状に合わせて導光部１２０の外形を変形させてもよい。この場合、内側面１２０ｂの中心軸１２０ｚが折れ曲がっていても、曲線であっても、内側面１２０ｂにおける反射によってレーザ光等の進行方向がランダムとなるため、上記実施形態で説明した本開示の光照射器の効果を得ることができる。
【００４６】
（実験例）
本開示の光照射器の効果を確認するために、内側面の中心軸に垂直な断面形状が４角形から８角形であるプローブを作製し、第１の開口端から凸球形状の測定面に照射される光の強度分布を測定した。
【００４７】
図９（ａ）から（ｄ）に示すように、内側面の中心軸に垂直な断面形状が正四角形、正五角形、正七角形および正八角形であるプローブおよび図５に示す正六角形のプローブを作製した。作製したプローブのサイズ、光源および測定条件は以下の通りである。
多角形の外接円の直径：３０ｍｍ
光ファイバのコアの直径：４００μｍ
導光部の長さＬ：９０ｍｍ
光源の波長：６６４ｎｍ
内側面の反射率：１００％
測定面形状：Ｒ２０ｍｍの凸球形状
【００４８】
図１０から図１４に結果を示す。図１０から図１４はそれぞれ、内側面の中心軸に垂直な断面形状が正四角形、正五角形、正六角形、正七角形および正八角形であるプローブの第１の開口端から凸球形状の測定面に照射される光の強度分布を示している。各図において（ａ）は、光強度を示す図である。正多角形の内部において、色が濃い部分ほど光の強度が高いことを示している。また、各図の（ｂ）は中心からの距離と光強度との関係を示している。
【００４９】
図１０から図１４を比較すれば分かるように、多角形の角の数が増えるほど光の照射面積は大きくなる。また、中心付近に見られる光強度の最大値は大きくなる。しかし、光が照射される領域の光強度の均一性は、角の数が６以上になると徐々に低下し、正八角形では、中心と最周辺部（中心から１２ｍｍ近傍）とでは２．５倍程度の強度差が生じている。これは、多角形の角の数が多くなるほど、断面形状が円に近づき、内側面で反射した光が、内側面の中心軸に垂直な断面において、中心軸の方向へ向かうように反射するからと考えられる。
【００５０】
照射面積の拡大と光強度分布の均一性とを考慮すると、多角形の角の数は５以上７以下が好ましいことが分かる。この範囲に設定することにより、照射面積が大きく均一性が高い出射光を得ることできる。
【産業上の利用可能性】
【００５１】
本開示の光照射器は、種々の産業分野において利用可能であり、特に医療分野に用いられる光照射器に好適に用いられる。例えば、ＰＤＴ治療に用いられる子宮頚部用光線力学的治療装置に好適に用いられる。
【符号の説明】
【００５２】
２          光ファイバ
２ａ        端面
２ｚ        中心軸
１０、１０’      光源
２０        レーザ光生成器
２１        発光部
２１ｚ      光軸
２２        電源
５０        光照射器
６０        レンズ
１００、１０１、１０２      プローブ
１２０      導光部
１２０ａ    外側面
１２０ｂ、１２０ｂ’    内側面
１２０ｃ    第１の開口端
１２０ｄ    第２の開口端
１２０ｚ    中心軸
１２２      一端
１４０      接続部
１４０ｅ    ファイバ保持部
【図１】
2016067492.tif 000003
【図２】
2016067492.tif 000004
【図３】
2016067492.tif 000005
【図４】
2016067492.tif 000006
【図５】
2016067492.tif 000007
【図６】
2016067492.tif 000008
【図７】
2016067492.tif 000009
【図８】
2016067492.tif 000010
【図９】
2016067492.tif 000011
【図１０】
2016067492.tif 000012
【図１１】
2016067492.tif 000013
【図１２】
2016067492.tif 000014
【図１３】
2016067492.tif 000015
【図１４】
2016067492.tif 000016